(57)【要約】【課題】  床部上面の下塗り塗膜層と上塗り塗膜層との間に、粒体形状の滑り止め材を介設することにより、上塗り塗膜層の上面に微細な凹凸部を形成し、水中歩行時または水中運動時に適切な摩擦抵抗を確保して、滑り止め効果が得られ、また上塗り塗膜層により滑り止め材が離脱するのを防止することができるプール床の滑り止め構造を目的とする。【解決手段】  少なくとも床部１が金属で構成された水泳プールにおいて、上記床部１上面の下塗り塗膜層３と上塗り塗膜層６，７との間には、粒体形状の滑り止め材５が介設されたことを特徴とする。【選択図】  図２  
0003102877.tif 000002
【実用新案登録請求の範囲】
【請求項１】
少なくとも床部が金属で構成された水泳プールにおいて、
上記床部上面の下塗り塗膜層と上塗り塗膜層との間には、粒体形状の滑り止め材が介設された
プール床の滑り止め構造。  
【請求項２】
上記下塗り塗膜層の上面に塗装される中塗り塗膜層と上塗り塗膜層との間には、適度な角部を有する粒体形状の多数の硅砂が介設された
請求項１記載のプール床の滑り止め構造。
【請求項３】
上記下塗り塗膜層の上面に中塗り塗膜層を介して塗装される複数の上塗り塗膜層を設け、これら複数の上塗り塗膜層間には、適度な角部を有する粒体形状の多数の硅砂が介設された
請求項１記載のプール床の滑り止め構造。
【請求項４】
上記硅砂が上載配置される側の塗膜層の乾燥前において当該塗膜層上部に多数の硅砂が略均一で、面状かつ一様となるよう散布配置された
請求項２または３記載のプール床の滑り止め構造。
【請求項５】
上記床部上面の下塗り塗膜層と上塗り塗膜層との間には、適度な角部を有する粒体形状の多数の硅砂と塗料との混合層が形成された
請求項１記載のプール床の滑り止め構造。
【請求項６】
上記多数の硅砂は床部全面または所定コース部位に対応して介設された請求項２〜５の何れか１に記載のプール床の滑り止め構造。
【考案の詳細な説明】
【技術分野】
【０００１】
この考案は、屋外または屋内に設けられた水泳プールのプール床の滑り止め構造に関する。
【背景技術】
【０００２】
従来、上述例の水泳プールは大別して２種類のプールがある。すなわち、ＦＲＰプールと、ステンレスまたはアルミニウムの金属によって形成された金属製水泳プールとの２種類である。
【０００３】
上述の樹脂製水泳プールＦＲＰなどの樹脂により成形したのみで、滑り止め加工は施されていない。
【０００４】
また、上述の金属製水泳プールは少なくとも側壁部と床部とがステンレスまたはアルミニウムの金属で構成されたプール本体に対して塗装が施されている。
【０００５】
すなわち、従来の金属製水泳プールにおける床部の拡大断面を図８に示すように、金属下地としてのプール床部８１の上面にプライマー（ｐｒｉｍｅｒ、塗装の下塗り塗料）による下塗り塗膜層８２を形成し、この下塗り塗膜層８２の上面に中塗り塗膜層８３を介して複数の上塗り塗膜層８４，８５が形成されている。
【０００６】
しかし、図８で示す従来の金属製水泳プールにおいては次のような問題点があった。
【０００７】
つまり、アクア・エクササイズ、アクア・ビクスのように水中において運動または歩行すると健康によいが、水中では身体に浮力が作用するうえ、図８のプール床部８１は単に塗装が施されたのみであるから、素足（裸足）では滑りやすい。このため、滑り止め用の専用の靴が必要となる問題点があった。
【０００８】
また、金属製の水泳プールの所定部にエポキシ樹脂塗装が施されたものが知られているが（特許文献１参照）、図８で示した従来構造のものと同様に滑り止め加工が施されていないので、素足での歩行時には滑りやすくなる問題点があった。
【０００９】
【特許文献１】特開平９−３２３２７号公報
【考案の開示】
【考案が解決しようとする課題】
【００１０】
この考案は、床部上面の下塗り塗膜層と上塗り塗膜層との間に、粒体形状の滑り止め材を介設することにより、上塗り塗膜層の上面に微細な凹凸部を形成し、水中歩行時または水中運動時に適切な摩擦抵抗を確保して、滑り止め効果が得られる。また上塗り塗膜層により滑り止め材が離脱するのを防止することができるプール床の滑り止め構造の提供を目的とする。
【課題を解決するための手段】
【００１１】
この考案によるプール床の滑り止め構造は、少なくとも床部が金属で構成された水泳プールにおいて、上記床部面の下塗り塗膜層と上塗り塗膜層との間には、粒体形状の滑り止め材が介設されたものである。
【００１２】
上述の金属は、ステンレスまたはアルミニウムに設定してもよく、また滑り止め材は硅砂に設定してもよい。
【００１３】
上記構成によれば、プール床部の上面の下塗り塗膜層と上塗り塗膜層との間に滑り止め材が介設されているので、上塗り塗膜層の上面には微細な凹凸部が形成され、水中歩行時または水中運動時に適切な摩擦抵抗を確保することができて、滑り止め効果が得られる。このため素足で歩行しても、滑ることがない。
【００１４】
また、水中歩行時には歩行者の体重が各塗膜層および滑り止め材を介して床部に付勢される。また上塗り塗装膜により滑り止め材が離脱するのを防止することができ、かつ滑り止め材の色が外方に露呈するのを防止して、外観品質の向上を図ることができる。
【００１５】
この考案の一実施態様においては、上記下塗り塗膜層の上面に塗装される中塗り塗膜層と上塗り塗膜層との間には、適度な角部を有する粒体形状の多数の硅砂が介設されたものである。
【００１６】
上記構成によれば、中塗り塗膜層により下塗り塗膜層表面の凹凸をならすことができるのは勿論、滑り止め材として硅砂を用いたので、この硅砂は適度な角部を有しており、上塗り塗膜層の上面に形成される凹凸部の最適化を図って、水中歩行時における摩擦抵抗の確保と滑り止めの効果とをより一層向上させることができる。
【００１７】
この考案の一実施態様においては、上記下塗り塗膜層の上面に中塗り塗膜層を介して塗装される複数の上塗り塗膜層を設け、これら複数の上塗り塗膜層間には、適度な角部を有する粒体形状の多数の硅砂が介設されたものである。
【００１８】
上記構成によれば、滑り止め材として硅砂を用いたので、この硅砂は適度な角部を有しており、上塗り塗膜層の上面に形成される凹凸部の最適化を図って、摩擦抵抗の確保と滑り止め効果とをより一層向上させることができ、また複数の上塗り塗膜層には同一塗料が用いられるので、多数の硅砂の保持性能向上を図ることができる。
【００１９】
この考案の一実施態様においては、上記硅砂が上載配置される側の塗膜層の乾燥前において当該塗膜層上部に多数の硅砂が略均一で、面状かつ一様となるよう散布配置されたものである。
【００２０】
上記構成によれば、塗膜層の乾燥前に硅砂を散布配置するので、塗膜層に対する硅砂の接着力向上を図ることができると共に、多数の硅砂はほぼ均一に、面状かつ一様となるように散布配置したので、硅砂介設部の全体（硅砂が介設された領域全体）として適切かつ均一な凹凸部を形成することができる。
【００２１】
この考案の一実施態様においては、上記床部上面の下塗り塗膜層と上塗り塗膜層との間には、適度な角部を有する粒体形状の多数の硅砂と塗料との混合層が形成されたものである。
【００２２】
上記構成によれば、下塗り塗膜層と上塗り塗膜層との間に形成された混合層には、その塗料中に硅砂が存在（混在）し、この硅砂は適度な角部を有しているので、上塗り塗膜層の上面に形成される凹凸部の最適化を図って、摩擦抵抗の確保と滑り止め効果とをより一層向上させることができる。
【００２３】
この考案の一実施態様においては、上記多数の硅砂は床部全面または所定コース部位に対応して介設されたものである。
【００２４】
上記構成によれば、プール床部の全面または必要とする所定コース部位のみに上記滑り止め構造を施して、摩擦抵抗の確保と滑り止め効果とを得ることができる。
【考案の効果】
【００２５】
この考案によれば、床部上面の下塗り塗膜層と上塗り塗膜層との間に、粒体形状の滑り止め材を介設したので、上塗り塗膜層の上面に微細な凹凸部が形成でき、水中歩行時に適切な摩擦抵抗を確保して、滑り止め効果が得られる。また上塗り塗膜層により滑り止め材が離脱するのを防止することができ、かつ滑り止め材の色が外方に露呈するのを防止して、外観品質の向上を図ることができる効果がある。
【考案を実施するための最良の形態】
【００２６】
上塗り塗膜層の上面に微細な凹凸部を形成し、水中歩行時または水中運動時に適切な摩擦抵抗を確保して、滑り止め効果を得るという目的を、床部上面の下塗り塗膜層と上塗り塗膜層との間に、粒体形状の多数の硅砂などの滑り止め材を介設するという構成にて実現した。
【実施例】
【００２７】
この考案の一実施例を以下図面に基づいて詳述する。
【００２８】
図面はプール床の滑り止め構造を示すが、まず、図１を参照して金属製水泳プールの構成について説明する。
【００２９】
この金属製水泳プールは図１（但し、図１では図示の便宜上、塗装および滑り止め構造を省略した状態で図示している）に示すようにプール床部１と四辺の側壁部２・・・とがステンレス、またはアルミニウムの金属板により構成されている。ここで、上述のプール床部１と側壁部２とは一体であってもよく、または別体のものをシール部材を介して接合してもよい。
【００３０】
図２は図１で示したプール床部１の全面または必要とする所定のコース部位（水泳コースの１つのコースまたは複数のコース）にのみ滑り止め構造を施した状態の部分拡大断面図であって、プール床部１の上面にはエポキシ樹脂塗料などのプライマー（ｐｒｉｍｅｒ、塗装の下塗り塗料）にて厚さ約３０μｍの下塗り塗膜層３が形成されている。
【００３１】
この下塗り塗膜層３は金属下地としてのプール床部１の錆の発生を防止すると共に、後述する中塗り塗料との付着性向上を図るものであって、この下塗り塗膜層３の上面にはエポキシ樹脂などから成る厚さ約３０μｍの中塗り塗膜層４が形成されている。
【００３２】
この中塗り塗膜層４は下塗り塗膜層３表面の凹凸をならし、上塗り塗装の仕上げ性を良好ならしめるためのもので、この中塗り塗膜層４を形成する中塗り塗料が乾燥する前段階（望ましくは中塗り塗料の塗装後、直ちに）において、該中塗り塗膜層４の上部には滑り止め材としての多数の硅砂５・・・が略均一に、面状かつ一様となるように散布配置されている。
【００３３】
上述の硅砂５は適度な角部を有するもので、望ましくは６号硅砂（平均粒径が約０．６ｍｍ程度の硅砂）を０．２〜０．５ｋｇ／ｍ２程度散布し、中塗り塗膜層４の乾燥後において余分な硅砂を除去する。
【００３４】
上述の硅砂５の上部には、アクリル系樹脂等の上塗り塗料にて多数の硅砂５をくるむように上塗り塗膜層６が形成されている。この上塗り塗膜層６は硅砂５を保持すると共に、外部から硅砂５の色が見えるのを防止して、プールの外観品質向上を図るものである。
【００３５】
この上塗り塗膜層６のさらに上部にはアクリル系樹脂などの上塗り塗料にて、最上層となる上塗り塗膜層７が形成されている。
【００３６】
つまり、図２に示す実施例においては下側の上塗り塗膜層６と、上側の上塗り塗膜層７とで、上塗り塗膜層が複数層構造に形成されている。ここで、上述の各上塗り塗膜層６，７の塗料としては同一のものが用いられる。
【００３７】
しかも、下塗り塗膜層３の上面に塗装される中塗り塗膜層４と、上下２層６，７のうちの下側の上塗り塗膜層６との間に、適度な角部を有する粒子形状の多数の硅砂５・・・を介設したことにより、上側の上塗り塗膜層７の上部には硅砂５の形状およびその配置構造に対応する微細な凹凸部８が形成されている。
【００３８】
このように図２で示した実施例のプール床の滑り止め構造は、少なくとも床部１が金属で構成された水泳プールにおいて、上記床部１上面の下塗り塗膜層３と上塗り塗膜層６，７との間には、粒体形状の滑り止め材（硅砂５参照）が介設されたものである。
【００３９】
この構成によれば、プール床部１の上面の下塗り塗膜層３と上塗り塗膜層６，７との間に滑り止め材（硅砂５参照）が介設されているので、上塗り塗膜層７の上面には微細な凹凸部８が形成され、水中歩行時または水中運動時に適切な摩擦抵抗を確保することができて、滑り止め効果が得られる。このため素足で歩行しても、滑ることがない。
【００４０】
また、水中歩行時には歩行者の体重が各塗膜層７，６，４，３および滑り止め材（硅砂５参照）を介して床部１に付勢されるが、滑り止め材（硅砂５参照）と床部１上面との間には下塗り塗膜層３が存在するので上塗り塗装膜６，７により滑り止め材（硅砂５参照）が離脱するのを防止することができ、かつ滑り止め材として用いる硅砂５の色が外方に露呈するのを防止して、外観品質の向上を図ることができる。
【００４１】
また、上記下塗り塗膜層３の上面に塗装される中塗り塗膜層４と上塗り塗膜層６，７との間には、適度な角部を有する粒体形状の多数の硅砂５・・・が介設されたものである。
【００４２】
この構成によれば、中塗り塗膜層４により下塗り塗膜層３表面の凹凸をならすことができるのは勿論、滑り止め材として硅砂５・・・を用いたので、この硅砂５は適度な角部を有しており、上塗り塗膜層６，７の上面に形成される凹凸部８の最適化を図って、摩擦抵抗の確保と滑り止めの効果とをより一層向上させることができる。
【００４３】
さらに、上記硅砂５が上載配置される側の塗膜層４の乾燥前において当該塗膜層４上部に多数の硅砂５が略均一で、面状かつ一様となるよう散布配置されたものである。
【００４４】
この構成によれば、塗膜層４の乾燥前に硅砂５を散布配置するので、塗膜層４に対する硅砂５の接着力向上を図ることができると共に、多数の硅砂５はほぼ均一に、面状かつ一様となるように散布配置したので、硅砂５の介設部の全体として適切かつ均一な凹凸部８を形成することができる。
【００４５】
加えて、上記多数の硅砂５はプール床部１全面または所定コース部位に対応して介設されたものであるから、プール床部１の全面または必要とする所定コース部位のみに上記滑り止め構造を施して、摩擦抵抗の確保と滑り止め効果とを得ることができる。
【００４６】
図３はプール床の滑り止め構造の他の実施例を示し、図３に示すこの実施例では図２の実施例に対して上側の上塗り塗膜層７を省略して、１層のみの上塗り塗膜層６と成したものである。
【００４７】
このように、上塗り塗膜層６を１層構造と成すと、工期の短縮を図ることができると共に、凹凸部８の顕著化を達成することができる。なお、図３に示すこの実施例においても、その他の構成、作用、効果については図２で示した実施例とほぼ同様であるから、図３において前図と同一の部分には同一符号を付して、その詳しい説明を省略する。
【００４８】
図４はプール床の滑り止め構造のさらに他の実施例を示し、図４に示すこの実施例では図２の実施例に対して多数の硅砂５・・・の介設密度を粗に設定したものである。
【００４９】
このように構成すると、下側の上塗り塗膜層６が中塗り塗膜層４と接合される面積が広くなるので、この上塗り塗膜層６による硅砂５の保持性能がさらに向上すると共に、上側の上塗り塗膜層７上面に形成される凹凸部８を図２の実施例のものに対して大きく形成することができ、摩擦抵抗および滑り止め効果の拡大を図ることができる。なお、図４に示すこの実施例においても、その他の構成、作用、効果については図２で示した先の実施例とほぼ同様であるから、図４において前図と同一の部分には同一符号を付して、その詳しい説明を省略するが、図２、図４の実施例から明らかなように塗膜層４，６間に介設する硅砂５の配設密度（分布密度）を調整することで、上塗り塗膜層６，７上面に形成される凹凸部８の大きさをコントロールすることができ、これにより、摩擦抵抗および滑り止め効果を任意に設定することができる。
【００５０】
図５はプール床の滑り止め構造のさらに他の実施例を示し、図２、図３、図４で示した各実施例においては中塗り塗膜層４と上塗り塗膜層６との間に多数の硅砂５を介設保持させたが、図５に示すこの実施例においては上塗り塗膜層が複数層形成される場合に、下側の上塗り塗膜層６と上側の上塗り塗膜層７との間に多数の硅砂５を介設保持させたものである。
【００５１】
この場合においても、下側の上塗り塗膜層６を形成するところの上塗り塗料が乾燥する前段階（望ましくは、この塗膜層６を形成する上塗り塗料の塗装後、直ちに）において該上塗り塗膜層６の上部に、多数の硅砂５・・・を略均一に、面状かつ一様となるように散布配置し、上塗り塗膜層６の乾燥後に余分な硅砂を除去し、その後、上側の上塗り塗膜層７を形成するものである。
【００５２】
このように図５で示した実施例のプール床の滑り止め構造は、上記下塗り塗膜層３の上面に中塗り塗膜層４を介して塗装される複数の上塗り塗膜層６，７を設け、これら複数の上塗り塗膜層６，７間には、適度な角部を有する粒体形状の多数の硅砂５が介設されたものである。
【００５３】
この構成によれば、滑り止め材として硅砂５を用いたので、この硅砂５は適度な各部を有しており、上塗り塗膜層７の上面に形成される凹凸部８の最適化を図って、摩擦抵抗の確保と滑り止め効果とをより一層向上させることができ、また複数の上塗り塗膜層６，７には同一塗料が用いられるので、多数の硅砂５・・・の保持性能向上を図ることができる。
【００５４】
また、上記硅砂５が上載配置される側の塗膜層６の乾燥前（望ましくは塗装後、直ちに）において当該塗膜層６上部に多数の硅砂５・・・が略均一で、面状かつ一様となるよう散布配置されたものである。
【００５５】
この構成によれば、塗膜層６の乾燥前に硅砂５を散布配置するので、塗膜層６に対する硅砂５の接着力向上を図ることができると共に、多数の硅砂５・・・はほぼ均一に、面状かつ一様となるように散布配置したので、硅砂５の介設部の全体として適切かつ均一な凹凸部８を形成することができる。
【００５６】
なお、図５で示したこの実施例においても、その他の点については先の実施例とほぼ同様の作用、効果を奏するので、図５において前図と同一の部分には同一符号を付して、その詳しい説明を省略する。
【００５７】
図６はプール床の滑り止め構造のさらに他の実施例を示し、プール床部１の上面に下塗り塗膜層３および中塗り塗膜層４を形成し、この中塗り塗膜層４と上塗り塗膜層７との間に多数の硅砂５・・・を介設させる場合、予め塗料９と適度な角部を有する粒体形状の多数の硅砂５とが混合された混合塗料を準備し、中塗り塗膜層４の上面に、この混合塗料を塗装して、中塗り塗膜層４と上塗り塗膜層７との間に、混合層１０を形成したものである。
【００５８】
ここで、上述の塗料９としては上塗り塗膜層７を形成するアクリル系樹脂などの上塗り塗料と同一のものを用いてもよい。
【００５９】
このように図６で示した実施例のプール床の滑り止め構造は、上記床部１上面の下塗り塗膜層３と上塗り塗膜層７との間には、適度な角部を有する粒体形状の多数の硅砂５・・・と塗料９との混合層１０が形成されたものである。
【００６０】
この構成によれば、下塗り塗膜層３と上塗り塗膜層７との間に形成された混合層１０には、その塗料９中に硅砂５が存在し、この硅砂５は適度な角部を有しているので、上塗り塗膜層７の上面に形成される凹凸部８の最適化を図って、摩擦抵抗の確保と滑り止め効果とをより一層向上させることができる。
【００６１】
なお、図６で示したこの実施例においても、その他の実施例については先の実施例とほぼ同様の作用、効果を奏するので、図６において前図と同一の部分には同一符号を付して、その詳しい説明を省略する。
【００６２】
図７はプール床の滑り止め構造のさらに他の実施例を示し、プール床部１の上面に下塗り塗膜層３を形成し、この下塗り塗膜層３と上下２層構造の上塗り塗膜層６，７との間に多数の硅砂５・・・を介設させる場合、予め塗料１１と適度な角部を有する粒体形状の多数の硅砂５とが混合された混合塗料を準備し、下塗り塗膜層３の上面に、この混合塗料を塗装して、下塗り塗膜層３と上塗り塗膜層６との間に、混合層１２を形成したものである。
【００６３】
ここで、上述の塗料１１としては中塗り塗膜層４（前図参照）を形成するエポキシ樹脂などの中塗り塗料と同一のものを用いている。
【００６４】
このように構成すると、塗料１１の付着性（中塗り塗料の付着性が上塗り塗料の付着性よりも大きい）により、硅砂５の保持性能のさらなる向上を図ることができる。
【００６５】
図７の実施例においてもその他の点については図６で示した先の実施例とほぼ同様の作用、効果を奏するので、図７において前図と同一の部分には同一符号を付して、その詳しい説明を省略する。
【００６６】
この考案の構成と、上述の実施例との対応において、
この考案の滑り止め材は、実施例の硅砂５（望ましくは６号硅砂）に対応するも、この考案は、上述の実施例の構成のみに限定されるものではない。
【図面の簡単な説明】
【００６７】
【図１】水泳プールの断面図。
【図２】本考案のプール床の滑り止め構造を示す断面図。
【図３】プール床の滑り止め構造の他の実施例を示す断面図。
【図４】プール床の滑り止め構造のさらに他の実施例を示す断面図。
【図５】プール床の滑り止め構造のさらに他の実施例を示す断面図。
【図６】プール床の滑り止め構造のさらに他の実施例を示す断面図。
【図７】プール床の滑り止め構造のさらに他の実施例を示す断面図。
【図８】従来のプール床の構造を示す断面図。
【符号の説明】
【００６８】
１・・・床部  
３・・・下塗り塗膜層
４・・・中塗り塗膜層
５・・・硅砂
６，７・・・上塗り塗膜層
９，１１・・・塗料
１０，１２・・・混合層
【図１】
0003102877.tif 000003
【図２】
0003102877.tif 000004
【図３】
0003102877.tif 000005
【図４】
0003102877.tif 000006
【図５】
0003102877.tif 000007
【図６】
0003102877.tif 000008
【図７】
0003102877.tif 000009
【図８】
0003102877.tif 000010